(57)【特許請求の範囲】
【請求項１】
棒状のシャッター部材が、間隔を置いて、リンク片を介して回動自在に連結されるグリルカーテンを有するシャッターにおいて、前記リンク片は、略断面コ形であって、その両側片部の一端及び他端に、シャッター部材を通すリンク穴が形成され、その一端及び他端の側片部の一方のリンク穴の周囲内面にはスリーブ部が一体に突出形成され、その他端及び一端の側片部の他方に形成されたリンク穴が前記スリーブ部の外周に回動自在に嵌合して複数のリンク片が順次連結される構成とされ、
前記リンク片の一端側と他端側に形成されたスリーブ部は、リンク片の縦方向軸に対し対称位置に形成され、
前記リンク片のスリーブ部が形成されていない側片部のリンク穴を有する端部は、少なくともリンク片の板厚に相当する分内側に折り曲げられ、該折り曲げられたリンク片の端部の外面に、スリーブ部を有する隣接するリンク片の側片部が回動自在に略嵌合する凹段部が形成されていることを特徴とするシャッター。
【請求項２】
前記スリーブ部の内端部には、嵌合外れ防止用の係止爪が突出形成され、該係止爪がスリーブ部が嵌合される前記リンク穴の外側に折り曲げられて抜け止め結合されていることを特徴とする請求項１に記載のシャッター。
【請求項３】
前記リンク片の両側片部の一端面及び他端面は、略半円形状の湾曲形状とされ、リンク片の中間片部の一方端には、前記両側片部の一端面又は他端面の湾曲形状に沿って湾曲延出される目隠し片が一体に形成され、該目隠し片が隣接する他のリンク片の両側片部内に挿入されるようにして複数のリンク片が順次連結される構成とされていることを特徴とする請求項１又は２に記載のシャッター。
【請求項４】
請求項１乃至３のいずれかに記載のシャッターに用いるリンク片において、
前記リンク片は、略断面コ形であって、その両側片部の一端及び他端に、シャッター部材を通すリンク穴が形成され、その一端及び他端の側片部の一方のリンク穴の周囲内面にはスリーブ部が一体に突出形成され、その他端及び一端の側片部の他方に形成されたリンク穴が前記スリーブ部の外周に回動自在に嵌合して複数のリンク片が順次連結される構成とされ、
前記リンク片の一端側と他端側に形成されたスリーブ部は、リンク片の縦方向軸に対し対称位置に形成され、
前記リンク片のスリーブ部が形成されていない側片部のリンク穴を有する端部は、少なくともリンク片の板厚に相当する分内側に折り曲げられ、該折り曲げられたリンク片の端部の外面に、スリーブ部を有する隣接するリンク片の側片部が回動自在に略嵌合する凹段部が形成されていることを特徴とするシャッターのリンク片。
【請求項５】
前記スリーブ部の内端部には、嵌合外れ防止用の係止爪が突出形成され、該係止爪がスリーブ部が嵌合される前記リンク穴の外側に折り曲げられて抜け止め結合されていることを特徴とする請求項４に記載のシャッターのリンク片。
【請求項６】
前記リンク片の両側片部の一端面及び他端面は、略半円形状の湾曲形状とされ、リンク片の中間片部の一方端には、前記両側片部の一端面又は他端面の湾曲形状に沿って湾曲延出される目隠し片が一体に形成され、該目隠し片が隣接する他のリンク片の両側片部内に挿入されるようにして複数のリンク片が順次連結される構成とされていることを特徴とする請求項４又は５に記載のシャッターのリンク片。
【発明の詳細な説明】
【０００１】
【発明の属する技術分野】
本発明は、主として、パイプシャッターとして知られるグリルカーテンを有するグリルタイプのシャッター及びグリルカーテンとスラットカーテン等の連結による複合タイプのシャッター、特にそのリンク片による連結構造並びに該シャッターに用いるリンク片に関するものである。
【０００２】
【従来の技術】
この種のシャッターは、図９〜図１１に示すように、棒状（多くの場合、パイプが採用される）のシャッター部材２１を、一方及び他方のリンク片２２、２３を介して連結しており、グリルカーテンを構成する。一方及び他方のリンク片２２、２３は、何れも板状体から成形された断面コ字形であって、それぞれ、上下端に、シャッター部材２１を通すリンク穴２４、２５を形成している。そして、一方のリンク片２２がその端部において、連接する他方のリンク片２３の内側に挿入されるように、一方のリンク片２２が幅狭の雄形リンク片とされ、他方のリンク片２３が幅広の雌形リンク片とされている。
【０００３】
これら一方及び他方のリンク片２２、２３は、他方のリンク片２３の両側面の外側からリンク穴２４、２５に回動自在に嵌合する一対のスリーブ２６に、それぞれ、リンク穴２４、２５を嵌合させて、互いに連接される。この際、スリーブ２６のフランジ部２６Ａは、他方のリンク片２３の両側面に当接し、また、スリーブ２６の端部に形成した係止爪２７を、前記スリーブの外周側に向けてカシメルことで、スリーブ２６に対して、リンク穴２４、２５の嵌合外れを防止している。
【０００４】
このように構成した後で、両スリーブ２６には、シャッター部材２１が回動自在に挿通され、シャッターが組み立てられる。なお、一方のリンク片２２の連結片部の上下端部２２Ａは、シャッター正面からの外観美を整えるために、他方のリンク片２３の内側に入り込むように角形に形成されている。また、シャッター部材２１の長手方向に対する一方及び他方のリンク２２、２３の位置ズレを防止するため、Ｃクリップよりなる止め環２８を用いる。
【０００５】
しかしながら、このような従来のグリルカーテンの構成では、シャッター組立に際して、構造的に相違する雌雄２種類のリンク片２２、２３を用意する必要があり、さらに、スリーブ２６を別部品として用意する必要があり、部品点数が増し、組立工数も多くなるという不都合がある。
【０００６】
さらに、従来では、カーテンを巻取る場合、図１１に示すように、リンク片の端部２２Ａの角部が、巻取り面から外方に飛び出し、巻径が大きくなる恐れがある。
【０００７】
【発明が解決しようとする課題】
本発明は、上記事情に基づいてなされたもので、その目的とするところは、連接するリンク片を同形とし、スリーブも、前記リンク片の成形時に、一体的に形成することで、部品点数を削減し、組立工数も低減できるシャッター及び該シャッターに用いるリンク片を提供することにある。
【０００８】
さらに、本発明の他の目的は、シャッターの巻取り時に、巻径の増大を抑えたシャッター及び該シャッターに用いるリンク片を提供することにある。
【０００９】
【課題を解決するための手段】
次に、上記の課題を解決するための手段を、本発明の図示の実施の形態を参照して説明する。すなわち、本発明では、棒状のシャッター部材１が、間隔を置いて、リンク片２を介して回動自在に連結されるグリルタイプのシャッターＳ（図２）、又はグリルカーテンＧとスラットカーテンＣが連結されたトップスルータイプ等の複合タイプのシャッターＳ（図１）の、特にそのリンク片２による連結構造並びに該シャッターに用いるリンク片２の構造を前提としている。そして、前記リンク片２は、略断面コ形であって、その両側片部２−１、２−２の一端及び他端（上下端）に、シャッター部材１を通すリンク穴３、４が形成され、その一端及び他端の側片部２−１、２−２の一方のリンク穴４の周囲内面にはスリーブ部５、６が環状に一体に突出形成され、その一端及び他端の側片部２−１、２−２の他方に形成されたリンク穴３が前記スリーブ部５、６の外周に回動自在に嵌合して複数のリンク片２が順次上下に回動自在に連結される構成とされている。
【００１０】
さらに、前記リンク片２の一端側と他端側に形成されたスリーブ部５、６は、リンク片２の縦方向軸に対し対称位置に形成されていることを特徴としている。
【００１１】
さらに、前記リンク片２のスリーブ部５、６が形成されていない側片部２−１、２−２の外面に、スリーブ部５、６を有する隣接するリンク片２の側片部２−１、２−２が回動自在に略嵌合する凹段部２Ａ、２Ｂが形成されていることを特徴としている。
【００１２】
さらに、上下に隣接する各リンク片２が同一又は略同一形状のリンク片２の連続により形成されていることを特徴としている。この場合、上下に連結されるリンク片２の側片部の外側面は、上下方向に略連続する平坦面とされている。
また、前記スリーブ部５、６の内端部には、嵌合外れ防止用の係止爪５Ａ，６Ａが突出形成され、該係止爪５Ａ，６Ａがスリーブ部５、６が嵌合される前記リンク穴３、３の外側に折り曲げられて抜け止め結合されていることを特徴とする。
ー。
【００１３】
また、前記リンク片２の両側片部２−１、２−２の一端面及び他端面（上下端面）は、略半円形状の湾曲形状とされ、リンク片２の中間片部２−３の一方端には、前記両側片部２−１、２−２の一端面又は他端面の湾曲形状に沿って湾曲延出される目隠し片７が一体に形成され、該目隠し片７が上下に隣接する他のリンク片２の両側片部２−１、２−２内に挿入されるようにして複数のリンク片２が順次上下に連結される構成とされていることを特徴とする。
【００１４】
上記の構成において、スリーブ部５、６の形成は、バーリング等により立ち上げ加工で成形でき、これはプレス成形の１工程であって、スリーブ部５、６を簡単に形成できる利点がある。リンク穴３、４の個所での凹段部２Ａ、２Ｂは、リンク片２の縦の配列を整える上で重要である。また、目隠し片７がリンク穴３、４に沿うように形成されることで、シャッター巻取り時の巻径の増大を抑えることができる。
【００１５】
【発明の実施の形態】
以下、本発明の実施の形態を、図１〜図８を参照しながら、具体的に説明する。この実施の形態でのシャッターＳは、棒状のシャッター部材１が、間隔を置いて、リンク片２を介して回動自在に連結されるグリルタイプのシャッターＳ（図２）、又はグリルカーテンＧとスラットカーテンＣが連結されたトップスルータイプ等の複合タイプのシャッターＳ（図１）の、特にそのリンク片２による連結構造並びに該シャッターに用いるリンク片２の構造に適応される。
【００１６】
そして、このシャッターＳにおいて、リンク片２は、板状体から成形された略断面コ字形であって、側片部２−１、２−２及び中間片部２−３を有している。リンク片２は、それぞれ、端面が半円弧状に湾曲形成された両側片部２−１、２−２の上下端（一端及び他端）部に、シャッター部材１を通すリンク穴３、４を形成している。また、その側片部２−１、２−２の上端（一端）の片面内側面には、リンク穴４を囲むようにして、連接するリンク片２のリンク穴３に回動自在に嵌合すると共にシャッター部材１を回動自在に支持するスリーブ部５が一体に形成されており、また、その下端（他端）の反対側片面内側面には、リンク穴４を囲むようにして、連接するリンク片２のリンク穴３に回動自在に嵌合すると共にシャッター部材１を回動自在に支持するスリーブ部６が一体に形成されている。また、リンク穴３はスリーブ部の外径に対応した内径、リンク穴４はシャッター部材１の外径（即ち、スリーブ部の内径）に対応した内径になっている。
【００１７】
また、この実施の形態では、スリーブ部５、６は、板状体からのリンク片２の成形時、バーリングにより板面から立ち上げられることで、環状に一体形成されている。また、上下に連接するリンク片２のスリーブ部５、６に嵌合されるリンク穴３の個所では、リンク片２が、少なくとも板状体の厚さに相当する分、内側に折り曲げられて凹段部２Ａ，２Ｂを形成している。更に、リンク片２の上端には、その中間片部２−３の端縁部に、連接するリンク片２の下端内側において、リンク穴３、４に沿うように、正面から背面に向けて、円弧状に湾曲した目隠し片７が延設されている。目隠し片７とスリーブ部５、６を有する側片部２−１、２−２との間には、上下に隣接するリンク片２のスリーブ部のない側片部２−２、２−１が回動自在に挿入される隙間２Ｃが形成されている。また、スリーブ部５、６の内端部には、少なくとも、２個所に位置して、嵌合外れ防止用の係止爪５Ａ、６Ａが形成されている。また、シャッター部材１の長手方向に対する各リンク２の位置ズレを防止するため、Ｃクリップよりなる止め環等が用いられる。
【００１８】
上記のリンク片２を上下に連結する手順を図６を参照して説明する。図６Ａに示すように、上下のリンク片２、２の対向端部を、互いに回動自在に嵌挿するが、その時、図６Ａ，Ｂに示すように、対向端部のスリーブ部６、５の外周にリンク穴３、３を外挿させ、スリーブ部６、５を内面に有する側片部が、対向する凹段部２Ａ，２Ｂ内に嵌挿されるようにして嵌挿させる。この状態で、係止爪５Ａ，６Ａを折り曲げて抜け止め結合する。このようにして、結合された上下リンク片２、２のリンク穴３、４にシャッター部材１を挿入させるようにしてグリルカーテンＧを組み立て製造する。
【００１９】
このような構成では、連接するリンク片２を同形とし、スリーブ部５、６も、リンク片２の成形時に、一体的に形成することで、部品点数を削減し、生産コストを低減できる。また、この実施の形態では、バーリング等によって、スリーブ部４、５を簡単に形成することができ、またリンク穴３の個所で凹段部２Ａ、２Ｂを設けることで、リンク片２の縦の配列を左右の側面が上下方向に略同一平坦面となるように整えることができ、全てのリンク片の幅が正面から同じ又は略同じに見えるため、その意匠性、外観美を確保できる。
【００２０】
このように構成されたシャッターＳは、図２に示すように、グリルタイプのパイプシャッターとして用いられる。
【００２１】
更に、この実施の形態では、図８に示すように、目隠し片７がリンク穴３、４に沿うように湾曲して形成されているので、シャッター巻取り時の巻径の増大を抑えることができる。また、シャッターＳが、図１に示すように、スラットカーテンＣとグリルカーテンＧとが連結されるトップスルータイプ等の複合タイプとして、用いられる場合には、図１１の従来例では、リンク片の端部２２Ａの端部の角部で、隣接するスラットカーテンの表面を擦り、傷を負わせる恐れがあるが、この実施の形態では、上述したように、目隠し片７がリンク穴３、４に沿うように湾曲して形成されているので、そのような不都合を回避できる。
【００２２】
【発明の効果】
このようにして、本発明によれば、シャッターのグリルカーテンを連接するリンク片を同形とし、スリーブも、リンク片の成形時に、一体的に形成することができ、部品点数を削減し、組立も容易で、生産コストを低減できるという優れた効果を発揮できる。
またリンク穴３の個所で凹段部２Ａ、２Ｂを設けることで、リンク片２の縦の配列を左右の側面が上下方向に略同一平坦面となるように整えることができ、全てのリンク片の幅が正面から同じ又は略同じに見えるため、その意匠性、外観美を確保できる。
さらに、図６Ａに示すように、上下のリンク片２、２の対向端部を、互いに回動自在に嵌挿するが、その時、図６Ａ，Ｂに示すように、対向端部のスリーブ部６、５の外周に側方からリンク穴３、３を外挿させ、スリーブ部６、５を内面に有する側片部が、対向する凹段部２Ａ，２Ｂ内に嵌挿されるようにして嵌挿させる。この状態で、係止爪５Ａ，６Ａを折り曲げて抜け止め結合する。このようにして、上下のリンク片の接続作業を容易且つ安定した状態で行わせることができる。
【００２３】
さらに、目隠し片の形成により、シャッターの巻取り時に巻径の増大を抑えることができる。
【図面の簡単な説明】
【図１】本発明が適応されるトップスルータイプのシャッターの正面図である。
【図２】本発明が適応されるグリルタイプのシャッターの正面図である。
【図３】本発明に係るシャッターのリンク結合部分の正面図である。
【図４】同じく、要部の拡大斜視図である。
【図５】同じく、リンク片の、側面図（Ａ）、背面図（Ｂ）及び正面図（Ｃ）である。
【図６】同じく、リンク片同士の組立工程を示す、組立前の背面図（Ａ）、組立後の背面図（Ｂ）、組立後の正面図（Ｃ）である。
【図７】同じく、リンク片同士の組立状態を示す断面図である。
【図８】同じく、リンク片同士の回動状態を示す一部の側面図である。
【図９】従来のシャッターのリンク結合部分の正面図である。
【図１０】従来のシャッターの分解斜視図である。
【図１１】従来のシャッターのリンク片同士の回動状態を示す一部の側面図である。
【符号の説明】
Ｇ    グリルカーテン
Ｃ    スラットカーテン
Ｓ    シャッター
１    シャッター部材
２    リンク片、２−１，２−２    側片部、２−３    中間片部
２Ａ、２Ｂ    凹段部、２Ｃ    隙間
３、４    リンク穴
５、６    スリーブ部
５Ａ、６Ａ    係止爪
７    目隠し片
８    止め環
【図１】
0004734811.tif 000002
【図２】
0004734811.tif 000003
【図３】
0004734811.tif 000004
【図４】
0004734811.tif 000005
【図５】
0004734811.tif 000006
【図６】
0004734811.tif 000007
【図７】
0004734811.tif 000008
【図８】
0004734811.tif 000009
【図９】
0004734811.tif 000010
【図１０】
0004734811.tif 000011
【図１１】
0004734811.tif 000012